(57)【特許請求の範囲】
【請求項１】
空気中に浮遊する塩基性の煙霧或いは微粒子を除去する方法であって、塩基性の煙霧或いは微粒子を含む空気を、スルファミン酸の水溶液を含浸せしめた紙、布、不織布等からなる基剤と接触せしめるとともに、スルファミン酸水溶液中に乾燥を防ぐ為に必要な吸湿剤を含有させることを特徴とする塩基性物質の煙霧或いは微粒子を除去する方法。
【請求項２】
前記スルファミン酸水溶液を含浸せしめた基剤の表面積を広くする為に、基剤を蛇腹状又はハニカム状にすることを特徴とする請求項１に記載の塩基性物質の煙霧或いは微粒子を除去する方法。
【請求項３】
請求項１又は２に記載の塩基性物質の煙霧或いは微粒子を除去する方法に使用する装置であって、スルファミン酸水溶液を含んだ基剤に塩基性物質を含んだ空気を速やかに多量接触せしめる為に、ファンを設置してなることを特徴とする塩基性物質の煙霧或いは微粒子を除去する装置。
【発明の詳細な説明】
【技術分野】
【０００１】
本発明は室内に漂う臭気物質の煙霧及びそれらの微粒子を安価簡便に除去することによって室内の空気を浄化し且つ室内面及び家具類の褐色化を防ぐ方法及びその装置に関するものである。
【背景技術】
【０００２】
従来、喫煙、焼魚、焼肉時に発生する臭気物質からなる煙霧或いは微粒子の除去には活性炭、ゼオライト等の吸着剤、イオン交換紙或いはイオン交換樹脂が用いられてきた。
【０００３】
活性炭やゼオライトはその特性上粉末で使用しなければならないので、その粉末層に煙霧或いは微粒子を空気とともに通すには強い力を必要とし、強い力を使用せずに粉末層に煙霧或いは微粒子を空気とともに通すためにはその粉末層を薄くせざるを得ない。
【０００４】
しかし、活性炭やゼオライトの粉末層を薄くすると吸着能力が小さくなり、活性炭やゼオライトを頻繁に取替えなくてはならないという欠点があった。
【０００５】
また、イオン交換紙やイオン交換樹脂は高価であり、喫煙、焼魚、焼肉時に発生する臭気物質の煙霧或いは微粒子等それらの弱塩基性物質を捕捉するには酸の強さが不足で適当でないという欠点があった。
【先行技術文献】
【特許文献】
【０００６】
【特許文献１】特開平１０−１７９７０８号公報
【特許文献２】特開昭５４−６０２８６号公報
【特許文献３】特開２００２−１４３２８５号公報
【特許文献４】特開２００２−１４６３８６号公報
【発明の概要】
【発明が解決しようとする課題】
【０００７】
本発明が解決しようとする課題は、室内に漂う臭気物質の煙霧或いは微粒子を安価且つ効率良く除去する方法及び装置の開発である。
【課題を解決するための手段】
【０００８】
本発明は、室内に漂う臭気物質の煙霧或いは微粒子を除去させるため、スルファミン酸の水溶液を含浸せしめた吸着体に煙霧或いは微粒子を含む空気を接触せしめることを最も主要な特徴とする。
【０００９】
すなわち、本発明は、スルファミン酸の水溶液を含浸せしめた紙、布、不織布等の基剤（担体）に、臭気物質の煙霧或いは微粒子を含む空気を接触せしめることにより、空気中に浮遊する臭気物質の煙霧或いは微粒子を捕捉、除去させるものである。
【００１０】
ここで、スルファミン酸の水溶液のスルファミン酸の濃度は８〜１５％が好ましい。また、スルファミン酸の水溶液には乾燥を防ぐために吸湿剤を含有させるのが好ましい。吸湿剤としては、グリセリン、エチレングリコール、プロピレングリコール、ブタンジオール等を挙げることができる。また、スルファミン酸水溶液を基材に均一に含浸せしめるためにＰＥＯオレイルエーテル等の湿潤剤を含有させるのが好ましい。
【００１１】
また、室内の臭気物質の除去は発生と同時に除去することが望ましいので、本発明装置は基剤の吸着面積を可能な限り大きくし、吸着能力を高くした方が有利である。しかし、装置はなるべく小型が望まれるので、吸着紙等を蛇腹状にするか、ハニカム状にして基剤の吸着面積を広くするのが好ましい。
【００１２】
また、スルファミン酸水溶液を含んだ吸着体に臭気物質を含んだ空気を速やかに多量接触せしめるために、小型ファンを設置して装置内の空気を強制的に流動させるようにするのが好ましい。
【発明の効果】
【００１３】
本発明によれば、室内に漂う臭気物質からなる煙霧或いは微粒子が本装置の基剤に吸着されるため、その臭いやタール物質が除去され、空間が清浄化され、室内面や家具等の褐色化が防止されるという利点がある。
【図面の簡単な説明】
【００１４】
【図１】図１は本発明装置の一実施例の斜視図である。
【図２】図２は図１のＡ−Ａ断面の一例を示す断面図である。
【図３】図３は図１のＡ−Ａ断面の他の例を示す断面図である。
【発明を実施するための形態】
【００１５】
室内に漂う臭気物質の煙霧或いは微粒子を安価且つ効果的に除去させるという目的を、高価な材料を使用することなく実現した。
【実施例１】
【００１６】
（試験１）
室内に漂う臭気物質の煙霧或いは微粒子を捕捉するに付、何が有効か、下記の表１の試料番号１〜８に示す捕捉材料を用いて試験を行った。
【００１７】
【表１】
0005681134.tif 000002
【００１８】
ここで、捕捉材料を含浸させる基材（担体）としては、目方１５０ｇ／ｍ２、厚さ０．３２ｍｍ、大きさ１０ｃｍ×２０ｃｍのポリエステル布を使用し、捕捉材料の含浸量は基材１枚当り３ｇとした。
【００１９】
また、試験をした室の広さは、タテ２．７ｍ、ヨコ５．４ｍ、高さ２．５ｍである。試料片は高さ２ｍの所に間隔３０ｃｍで吊り下げた。臭気物質の煙霧或いは微粒子の発生源としてはタバコを使用した。タバコは両切ピース１日６〜７本を喫煙した。試験日数は２０日間(有人日のみ)とした。
【００２０】
試験結果は各試験片の変色で調べた。結果は下記の試料番号１〜８に示す通りであった。
試料番号    試験結果
１        変化なし
２        変化なし
３        変化なし
４        変化なし
５        変化なし
６        変化なし
７        殆ど変化なし
８        全面褐色
【００２１】
試験結果は、試料番号８に示すように、スルファミン酸が最も有効であり、室内に漂う臭気物質の煙霧或いは微粒子は塩基性物質であることが判った。
【００２２】
（試験２）
試験１に於いて酸性液が有効であることが判ったので、試験２では下記の表２の試料番号Ａ〜Ｊの酸性物質について吸着試験を行った。試験の条件等は試験１と同様とした。
【００２３】
【表２】
0005681134.tif 000003
【００２４】
試験結果は各試験片の変色で調べた。結果は下記試料番号Ａ〜Ｊに示す通りであった。
試料番号      試験結果
Ａ          殆ど変化なし
Ｂ          殆ど変化なし
Ｃ          全面褐色
Ｄ          全面薄<褐色（２日目乾燥状態）
Ｅ          殆ど変化なし
Ｆ          全面薄い褐色
Ｇ          殆ど変化なし
Ｈ          殆ど変化なし
Ｉ          全面褐色
Ｊ          殆ど変化なし
【００２５】
（試験３）
試験３では試験場所を焼き鳥屋に代えて吸着試験を行った。焼き鳥屋の広さは、タテ２．４ｍ、ヨコ４ｍ、高さ２．５ｍである。基材及び試験液は試験２に使用したものと同じものを使用した。試験片の大きさは５ｃｍ×８ｃｍ、含浸量は試験片１枚当たり１ｇ、試験日数７日間とした。試験片の設置場所は客席の背後奥の方、２ｍの高さに、間隔５ｃｍで、来客に見えない様、下部に棚を付けて設置した。焼き鳥屋の７日間の来客数は９２人であった。
【００２６】
試験３の結果によると、スルファミン酸・硫酸が最も良く、ピロ燐酸が続く。然れども、硫酸は湿度、温度等の条件に依っては、紙・木綿を炭化せしめたり、不織布（合成樹脂）に対しても劣化せしめる。更に硫酸は皮膚に対して腐食性である事から、使用は不適である。ピロ燐酸は効果が弱い上、加水分解され易い等の理由で使用不適である。
【００２７】
それに対し、スルファミン酸は常温では約２５％しか水に溶けなく、その粉末も水溶液も皮膚に対し腐食性は少なく、安全であり、且つラットの経口毒性もLD５０＞2000mg/kg（OECD TG40/iGLP）と安全性の高いものである。
【００２８】
尚、スルファミン酸は水溶液にしないと効果がない為、水溶液とし、乾燥を防ぐ為にグリセリンの様な吸湿剤、及び必要とするならば、紙・布・不織布等に、均一に塗布含浸できるように、界面活性剤を添加した液を紙・布・不織布等に含浸せしめたものを浮遊する煙霧或いは微粒子と接触せしめるのが好ましい。
【００２９】
（本発明装置）
次に、上記方法を実施するための装置について図を参照しながら説明する。図１は本発明装置の一実施例の斜視図、図２は図１の断面の一例を示す断面図であって、本発明装置は筒状体１０と、筒状体１０内に充填された基材１２と、筒状体１０内の上部に取り付けられたファン１４と、ファン１４を駆動する小型モータ１６とからなる。
【００３０】
筒状体１０の下部には空気吸入口１８が設けられ、筒状体１０の上部には空気排出口２０が設けられている。ファン１４は空気排出口２０の近傍に設けられている。基材１２は紙、布、不織布等を図２に示すように蛇腹状に形成したもの又は図３に示すようにハニカム状に形成したものを使用することができる。基材１２には１０％程度のスルファミン酸水溶液、１０％程度のグリセリン（吸湿剤）及び１％程度のＰＥＯオレイルエーテル（湿潤剤）が含浸されている。
【００３１】
この装置は次のようにして使用される。すなわち、小型モータ１６のスイッチを入れ、ファン１４を回転させると、筒状体１０内が減圧され、室内に漂う臭気物質の煙霧或いは微粒子は空気とともに空気吸入口１８から筒状体１０内に吸引される。筒状体１０内に吸引された臭気物質の煙霧或いは微粒子は空気とともに基材１２の隙間を縫って上昇し、基材１２に含浸されているスルファミン酸水溶液に捕捉される。臭気物質の煙霧或いは微粒子が取り除かれて浄化された空気は空気排出口２０から室内に排出される。
【符号の説明】
【００３２】
１０  筒状体
１２  基剤
１４  ファン
１６  小型モータ
１８  空気吸入口
２０  空気排出口
【図１】
0005681134.tif 000004
【図２】
0005681134.tif 000005
【図３】
0005681134.tif 000006